(57)【要約】【課題】動画ファイルを開き、動画を再生して閲覧しながら所望のフレームを検索する際、ユーザインターフェース表示における一覧性、認識性、操作性の調和を図り、必要なシーンを含むフレームを簡単でわかり易い操作によって検索する。【解決手段】動画データを所定の時間間隔で分割し、時間間隔毎のフレームを静止画データとして取り出して複数のサムネイルを生成する。複数のサムネイルは、１つがメイン表示窓２ａに表示される大きなサイズのメインサムネイルとされ、他のサムネイルはメイン表示窓２ａの上部及び下部から斜め上方及び下方に連続して配列された表示窓２に表示され、左右方向指示キーの操作によりサムネイル間の時間間隔を変更し、また上下方向指示キーの操作により複数のサムネイルがジャンプする。【選択図】図１
2006279267.tif 000002
【特許請求の範囲】
【請求項１】
動画データを所定の時間間隔で分割し、前記時間間隔毎の先頭フレームを静止画データとして取り出して複数のサムネイルを生成し、該複数のサムネイルを画面中の複数の表示窓に表示する動画分割表示装置において、前記複数のサムネイルは、１つが前記画面中のメイン表示窓に大サムネイルとして表示され、他のサムネイルは前記メイン表示窓から水平乃至傾斜方向に連続して配列される表示窓に小サムネイルとして表示され、左右方向の操作により前記時間間隔を変更し、上下方向の操作により前記複数のサムネイルが前記複数の表示窓間を移動することを特徴とする動画分割表示装置。
【請求項２】
請求項１に記載の動画分割表示装置において、前記複数の表示窓は前記メイン表示窓を折曲部として全体が略く字状または略Ｃ字状に配列され、前記複数のサムネイルが時系列的に配列されることを特徴とする動画分割表示装置。
【請求項３】
請求項１に記載の動画分割表示装置において、前記複数の表示窓は前記メイン表示窓を左右方向の中央部として全体が階段状に配列され、前記複数のサムネイルが時系列的に配列されることを特徴とする動画分割表示装置。
【請求項４】
請求項１に記載の動画分割表示装置において、前記複数の表示窓は前記メイン表示窓を左右方向の中央部として全体が対角線状に配列され、前記複数のサムネイルが時系列的に配列されることを特徴とする動画分割表示装置。
【請求項５】
請求項１乃至４のいずれかに記載の動画分割表示装置において、隣接する前記サムネイル間の時間間隔は均一であることを特徴とする動画分割表示装置。
【請求項６】
請求項１乃至４のいずれかに記載の動画分割表示装置において、隣接する前記サムネイル間のそれぞれの時間間隔は任意に設定可能であることを特徴とする動画分割表示装置。
【請求項７】
請求項１乃至６のいずれかに記載の動画分割表示装置において、前記左右方向の所定の操作は左右方向指示装置の操作であることを特徴とする動画分割表示装置。
【請求項８】
請求項１乃至６のいずれかに記載の動画分割表示装置において、前記上下方向の所定の操作は上下方向指示装置の操作であることを特徴とする動画分割表示装置。
【請求項９】
請求項１乃至８のいずれかに記載の動画分割表示装置において、前記画面中に表示されている複数のサムネイルの範囲は、動画全体に対しどのような位置及び割合を占めているかを示すとともに、前記メインサムネイルの前記動画全体における位置を示すゲージを表示することを特徴とする動画分割表示装置。
【請求項１０】
請求項１乃至８のいずれかに記載の動画分割表示装置において、所定の操作により前記メインサムネイル以降の動画データを全画面再生することを特徴とする動画分割表示装置。
【請求項１１】
請求項１乃至８のいずれかに記載の動画分割表示装置において、所定の操作により前記メインサムネイル以降の動画データを再生することを特徴とする動画分割表示装置。
【請求項１２】
動画データを所定の時間間隔で分割し、該時間間隔毎の先頭フレームを静止画データとして時系列的に取り出して複数のサムネイルを生成し、該複数のサムネイルの１つをメイン表示窓に大メインサムネイルとして表示し、他のサムネイルを前記メイン表示窓の上部及び下部から水平乃至傾斜方向に連続して配列された複数の表示窓に表示する動画分割表示装置の操作方法であって、左右方向指示操作により前記サムネイル間の時間間隔を変更し、上下方向指示操作により前記複数のサムネイルが前記複数の表示窓間を移動することを特徴とする動画分割表示装置の操作方法。
【発明の詳細な説明】
【技術分野】
【０００１】
本発明は動画分割表示装置及び該表示装置の操作方法に関し、さらに詳細には、動画データを所定の時間間隔で分割し、前記時間間隔毎の先頭フレームを静止画データとして時系列的に取り出して複数のサムネイルを生成して表示することにより、動画データの全体の内容が把握しやすく、操作性がよい動画分割表示装置及び該表示装置の操作方法に関する。
【背景技術】
【０００２】
最近のパーソナルコンピュータ、ＰＤＡ、携帯電話、ゲーム機等の情報処理装置においては、静止画像に加えて動画像を扱う場合が多くなっている。このような情報処理装置においては、動画編集や動画再生を行う際に、大量のデータ量を有する動画データの中からユーザが所望する動画データを迅速に選択するには、動画データ全体の内容を簡潔な内容表示により迅速に表示することが必要である。
【０００３】
従来の情報処理装置において、ユーザインターフェース表示画面を用いて大量の動画データの中から所望シーンを含むフレームを検索する場合には、動画ファイルを開き閲覧しながら、もしくは早送り、巻き戻し、スロー再生を行いながら、必要とするフレームにたどり着くという方法がとられていた。
【０００４】
また、画像モニタにチャプタ一覧といわれるインデックス画像を表示し、このインデックス画像中から拡大再生する静止画または動画を選択し、実行ボタンを押すことにより、その選択した静止画または動画を画像モニタに拡大表示するようにしていた。
【０００５】
さらに、インデックス画像を使用せずに、コマ送りボタンまたはコマ戻しボタンを操作することにより、所望の静止画または動画を画像モニタに表示するようにしていた。そして、コマ送りボタンまたはコマ戻しボタンによって動画（動画の最初の１コマ）が選択された場合には、さらに実行ボタンを押すことにより、選択された動画のファイルの全コマが動画として再生していた。
【０００６】
このような状況の中で、操作性のよいユーザインターフェース表示を開発するための多くの試みがなされているが、その１つとして特許文献１には、動画データの内容を簡易表示するための縮小画像であるサムネイルの作成方法とその表示方法が開示されており、動画データの内容を迅速かつ簡潔に表現するために、動画データ中の１フレームを静止画データとして取り出してサムネイルとし、前記動画データに対して複数のサムネイルを作成するもので、このように作成されたサムネイルを表示すれば、複数の動画データの内容をコマ送り表示で同時に表示することができ、ユーザが複数の動画データの中の１つを選択することを容易にすることができる。
【０００７】
また、特許文献２には、コマ送り時又はインデックス再生時に動画を表示する際に、その動画の全体の内容が把握できるように表示可能にする画像再生装置が開示されており、この画像再生装置においては、動画を構成する全コマのうちの撮影の最初の方のコマ画像、中間の２面のコマ画像、及び最後の方のコマ画像から４画面マルチ画像を構成し、これを４コマ漫画のように表示することにより、動画再生を開始する前に、動画再生を希望する動画であるかどうかを判断することができるようにしている。
【特許文献１】特開平１１−２８４９４８号公報
【特許文献２】特開２００１−１９７４４７号公報
【発明の開示】
【発明が解決しようとする課題】
【０００８】
しかしながら、従来の装置においては、大量の動画データの中から所望のフレームを探し当てるまでに不必要なデータについても大量に閲覧しなければならず、ユーザにとって多大な時間と手間を要していた。また、早送り、巻き戻し、スロー再生等多くの割り当てキーを用いる必要があり、単純な操作で短時間に必要なフレームを検索することが困難であった。
【０００９】
また、チャプタ一覧といわれるサムネイル画像からなるインデックス画像を複数表示する装置においては、画像が“田の字状”あるいは横１列表示で、一覧性と認識性を両立しているものではなかった。つまり、認識性を上げるためにサムネイル画像を大きく表示すると、表示できる数が減少し一覧性に欠ける。一覧性を上げるために表示数を増やすと、個々が小さくなり認識性が下がる。また、目的のサムネイル画像に行き着くために、上下左右の操作をしなければならず、操作が煩雑であった。
【００１０】
したがって、本発明は、動画ファイルを開き、その動画を再生して閲覧しながら所望のフレームを検索する際、ユーザインターフェース表示における一覧性、認識性、操作性の調和を図り、必要なシーンを含むフレームを簡単でわかり易い操作によって検索することができる動画分割表示装置及び方法を提供することを目的とする。
【００１１】
また、ユーザインターフェース表示において再生する画面間の時間間隔（時間刻み）を容易に変更することを可能とし、あたかも動画を時間的にズームイン・ズームアップするかのように表示し、従来のスロー再生や早送りといった動画視聴形態とは明らかに異なる動画の視聴形態が可能となる動画分割表示装置及び方法を提供することを目的とする。
【００１２】
また、従来のユーザインターフェース表示においては容易に行うことができなかったＡＢリピート、早送り等のシーンサーチなしで時間指定等の方法で直接希望のシーンより再生するダイレクトイン、シーンカット、チャプタ編集といった動画編集作業や動画再生操作を容易に行うことができる動画分割表示装置及び方法を提供することを目的とする。
【課題を解決するための手段】
【００１３】
第１の技術手段は、動画データを所定の時間間隔で分割し、前記時間間隔毎の先頭フレームを静止画データとして取り出して複数のサムネイルを生成し、該複数のサムネイルを画面中の複数の表示窓に表示する動画分割表示装置において、前記複数のサムネイルは、１つが前記画面中のメイン表示窓に大サムネイルとして表示され、他のサムネイルは前記メイン表示窓から水平乃至傾斜方向に連続して配列される表示窓に小サムネイルとして表示され、左右方向の操作により前記時間間隔を変更し、上下方向の操作により前記複数のサムネイルが前記複数の表示窓間を移動することを特徴とする。
【００１４】
第２の技術手段は、第１の技術手段の動画分割表示装置において、前記複数の表示窓は前記メイン表示窓を折曲部として全体が略く字状または略Ｃ字状に配列され、前記複数のサムネイルが時系列的に配列されることを特徴とする。
【００１５】
第３の技術手段は、第１の技術手段の動画分割表示装置において、前記複数の表示窓は前記メイン表示窓を左右方向の中央部として全体が階段状に配列され、前記複数のサムネイルが時系列的に配列されることを特徴とする。
【００１６】
第４の技術手段は、第１の技術手段の動画分割表示装置において、前記複数の表示窓は前記メイン表示窓を左右方向の中央部として全体が対角線状に配列され、前記複数のサムネイルが時系列的に配列されることを特徴とする。
【００１７】
第５の技術手段は、第１乃至４のいずれかの技術手段の動画分割表示装置において、隣接する前記サムネイル間の時間間隔は均一であることを特徴とする。
【００１８】
第６の技術手段は、第１乃至４のいずれかの技術手段の動画分割表示装置において、隣接する前記サムネイル間のそれぞれの時間間隔は任意に設定可能であることを特徴とする
【００１９】
第７の技術手段は、第１乃至６のいずれかの技術手段の動画分割表示装置において、前記左右方向の所定の操作は左右方向指示装置の操作であることを特徴とする。
【００２０】
第８技術手段は、第１乃至６のいずれかの技術手段の動画分割表示装置において、前記上下方向の所定の操作は上下方向指示装置の操作であることを特徴とする。
【００２１】
第９の技術手段は、第１乃至８のいずれかの技術手段の動画分割表示装置において、前記画面中に表示されている複数のサムネイルの範囲は、動画全体に対しどのような位置及び割合を占めているかを示すとともに、前記メインサムネイルの前記動画全体における位置を示すゲージを表示することを特徴とする。
【００２２】
第１０技術手段は、第１乃至８のいずれかの技術手段の動画分割表示装置において、所定の操作により前記メインサムネイル以降の動画データを全画面再生することを特徴とする。
【００２３】
第１１の技術手段は、第１乃至８のいずれかの技術手段の動画分割表示装置において、所定の操作により前記メインサムネイル以降の動画データを再生することを特徴とする。
【００２４】
第１２の技術手段は、動画データを所定の時間間隔で分割し、該時間間隔毎の先頭フレームを静止画データとして時系列的に取り出して複数のサムネイルを生成し、該複数のサムネイルの１つをメイン表示窓に大メインサムネイルとして表示し、他のサムネイルを前記メイン表示窓の上部及び下部から水平乃至傾斜方向に連続して配列された複数の表示窓に表示する動画分割表示装置の操作方法であって、左右方向指示操作により前記サムネイル間の時間間隔を変更し、上下方向指示操作により前記複数のサムネイルが前記複数の表示窓間を移動する動画分割表示装置の操作方法であることを特徴とする。
【発明の効果】
【００２５】
本発明によれば、動画データを所定の時間間隔で分割し、前記時間間隔毎の先頭フレームを静止画データとして取り出した複数のサムネイルは、１つが画面中のメイン表示窓に大サムネイルとして表示され、他のサムネイルは前記メイン表示窓から水平乃至傾斜方向に連続して配列される表示窓に小サムネイルとして表示され、左右方向の所定の操作により前記時間間隔を変更し、また上下方向の所定の操作により前記複数のサムネイルが前記複数の表示窓間を移動する構成であるので、動画データに含まれる大量の画像データの内容を一覧性と認識性の調和を図るとともに、画面に表示される大サイズのサムネイルによって詳細かつ容易に把握することが可能となる。
【００２６】
また、複数の表示窓は全体が略く字状または略Ｃ字状、階段状あるいは対角線状に配列され、複数のサムネイルが時系列的に表示され、左右方向指示キーの操作により前記時間間隔を変更し、また上下方向指示キーの操作等により前記複数のサムネイルが移動しジャンプする構成であるので、画面構成が表示装置を操作する際の動作を容易に想像させ、動画再生時や動画編集作業時に所望のフレームを容易に検索することが可能となる。
【００２７】
また、サムネイル相互間の時間間隔（時間刻み）が均一な均一時間並び表示とサムネイル相互間の時間間隔がユーザにより任意に設定可能なインデックス一覧表示において、それぞれの時間間隔を簡単でわかり易い操作によって変更することができ、動画再生時や動画編集作業時に必要に応じ時間間隔を変更して、所望のシーンを容易に検索することが可能となる。
【００２８】
また、均一時間並び表示及びインデックス一覧表示において、サムネイル相互間の時間間隔を変更することにより、あたかも動画を時間的にズームイン、ズームアップするかのように表示することが可能になり、従来の動画再生において行われているスロー再生、早送り再生等とは異なる動画コンテンツの視聴形態を提供することが可能となる。
【００２９】
また、従来のユーザインターフェース表示においては容易に行うことができなかったＡＢリピート、ダイレクトイン、シーンカット、チャプタ編集といった動画編集作業や動画再生操作を容易に行うことが可能となる。
【発明を実施するための最良の形態】
【００３０】
本発明は、動画ファイルを開き、その動画を再生して閲覧しながら所望のフレームを検索する際、ユーザインターフェース表示における一覧性、認識性、操作性の調和を図り、所望のフレームを簡単でわかり易い操作によって検索することができる動画分割表示装置及び該表示装置の操作方法を提供することを目的とし、そのため、動画データを所定の時間間隔で分割し、前記時間間隔毎の先頭フレームを静止画データとして取り出して複数のサムネイルを生成し、該複数のサムネイルを画面中の複数の表示窓に一覧表示する動画分割表示装置において、前記複数のサムネイルは、１つが前記画面中のメイン表示窓に大サイズのメインサムネイルとして表示され、他のサムネイルは前記メイン表示窓から水平乃至傾斜方向に連続して配列される表示窓小サイズのサムネイルとして時系列的に表示され、左右方向の所定の操作により前記時間間隔を変更し、また上下方向の所定の操作により前記複数のサムネイルが前記複数の表示窓間を移動するように構成される。
以下、本発明の動画分割表示装置及び動画分割表示装置の操作方法を図１〜図２３に示す実施例に基づいて説明する。
【実施例１】
【００３１】
図１は、実施例１の動画分割表示装置を示す図で、図１（Ａ）は、均一時間並び表示による動画分割表示装置を示し、図１（Ｂ）は、インデックス一覧表示による動画分割表示装置を示す。
実施例１の動画分割表示装置は、パーソナルコンピュータ（ＰＣ）、ＰＤＡ、モバイル機器、カーナビ、携帯電話、ゲーム機等あらゆる情報処理装置におけるユーザインターフェース用の表示装置として用いることができ、表示用の情報を格納し提供する手段としては、ハードディスク（ＨＤＤ）、ＤＶＤ、ＣＤ、ＳＤ／ＣＦカード等に限らずコンピュータによって読み取りが可能なあらゆる記録媒体が用いられる。
【００３２】
実施例１の動画分割表示装置においては、画面中央に動画表示部１を有し、動画表示部１には、例えばハードディスクに記録された動画データを所定の時間間隔で分割し、この時間間隔毎の先頭フレームを静止画データとして時系列的に取り出し、それぞれの静止画のサイズを縮小して生成した複数のサムネイルを表示する。生成された複数のサムネイルは、全体として略く字状に配列された複数の表示窓２の中に表示される。略く字状に配列して表示された複数のサムネイルの配列の順序としては、反時計方向に新しいフレームとなるような時系列で表示するのが一般的であるが、逆にする等これに限られるものではない。１画面に表示されるサムネイルの数は多いほど動画の全体像を把握する一覧性の点からは好ましいといえるが、図１に示す例では９個のサムネイルが表示され、画面サイズや解像度に応じ最適の数が設定される。
【００３３】
前記したように、複数の表示窓２は全体が略く字状に配列され、画面左寄り中央部の折曲部に位置する表示窓はカレント表示窓であってサイズが大きいメイン表示窓２ａで、他の表示窓はメイン表示窓２ａの右上部から斜め上方向に、また右下部から斜め下方向へと連続して配列されている。したがって、図に示すように９個のサムネイルが９個の表示窓２に表示されると、中央に位置するサムネイルがメイン表示窓２ａに表示され、他のサムネイルよりサイズが大きい大サムネイルとして表示される。図１（Ａ）の例では、メインサムネイルは他のサムネイルに比較して縦横共に約３倍に拡大されているので、細部についても詳細に表示することが可能である。なお、メインサムネイル２ａ以外の複数のサムネイルは小サムネイルであるが、全て同じサイズである必要はなく、例えば数種類のサイズを使用したり、メインサムネイルに向かって徐々にサイズを変更したりすることも考えられる。
【００３４】
メイン表示窓２ａの位置にあるメインサムネイルの右方には、メインサムネイルに該当する画像ファイルの名前、情報量、作成日時等を表示する詳細情報表示部３が表示される。
また、動画表示部１の右端にはゲージ４が表示され、現在表示されている複数のサムネイルの範囲は、動画データ全体に対してどのような位置であって、どのような割合を占めているのかを直感的に表示するとともに、メインサムネイルは動画データのどの位置のデータであるのかを把握できるように表示されている。
【００３５】
図１（Ａ）は、複数のサムネイルが、均一時間並び表示で配列されている例であって、各サムネイル間の時間間隔は均一である。均一時間並び表示においては、図１（Ａ）の下方に示したように、全動画ファイルをある一定時間で等間隔に分割して（図１（Ａ）では１８等分されている）チャプタとし、各々のチャプタの先頭シーンがサムネイルとして作成される。これらのサムネイルのうち、時間的に連続する９個のサムネイルが選択され、図１（Ａ）の上方のように表示される。また、９個のサムネイルの中央に位置するサムネイルがメインサムネイルとしてメイン表示窓２ａに表示される。図１（Ａ）の画面下方の時間スケールは、ゲージ４によって実現される。
【００３６】
図１（Ａ）の均一時間並び表示においてサムネイルの表示を操作するには、上下方向指示キー、左右方向指示キー等を用いることができ、例えば左右方向指示キーの押圧操作によって、複数のサムネイル全体を下方または上方にスクロールさせウィンドゥ間でジャンプすることができる。また、上下方向指示キーの押圧操作によってサムネイル間の時間間隔（時間刻み）を変更することができる。また、決定キーを押圧する操作によってメインサムネイルを全画面表示としたり、メインサムネイル以降の画像データを動画として再生したりすることができる。
【００３７】
図１（Ｂ）は、複数のサムネイルが、インデックス一覧表示で表示されている例であって、各サムネイル間の時間間隔はそれぞれユーザにより任意に設定可能である。図１（Ｂ）の下方の時間スケールは、ユーザにより予め任意に設定された各インデックス（チャプタの先頭シーンをサムネイルとした）の位置（Ａ），（Ｂ），（Ｃ），…，（Ｌ）を示している。インデックス一覧表示においては、これらのサムネイルのうち時間的に連続する９つが選択され、図1（Ｂ）のように表示される。また、９個のサムネイルの中央に位置するサムネイルは、メインサムネイルとしてメイン表示窓２ａに表示される。図１（Ａ）の画面下方の時間スケールは、ゲージ４によって実現される。
【００３８】
図１（Ｂ）のインデックス一覧表示においてサムネイルを操作するには、例えば、上下方向指示キー、左右方向指示キー等を用いて、上または下方向指示キーの押圧操作によってサムネイル全体を下方または上方にスクロールさせ表示窓間をジャンプすることができる。また、決定キーの押圧操作によってメインサムネイルを全画面表示としたり、メインサムネイル以降を動画として再生したりすることができる。
【００３９】
サムネイル間の時間間隔、時間刻みについて、さらに説明する。
図２は、均一時間並び表示におけるサムネイル間の時間間隔、つまり時間刻みを説明するための図である。ここで、動画データの全体の再生時間は９０分であり、画面の動画表示部に９個のサムネイルを表示するものとしている。
図２（Ａ）の例は、均一時間並び表示における各サムネイル間の時間間隔（時間刻み）が１０分であって、動画データの先頭から０〜１０分未満，１０〜２０分未満，…，８０〜９０分に等分割され、０分，１０分，…，８０分に位置するフレームがサムネイルに生成され、そのうちの４０分に位置するフレームがサイズの大きい大メインサムネイルに処理され、メインメイン表示窓２ａに表示される。そして、各サムネイル間の時間間隔については、前記したようにゲージ４に表示する。
【００４０】
図２（Ｂ）の例は、時間間隔が５分であって、動画データの先頭から０〜５分未満，５〜１０分未満，１０〜１５分未満，…，８０〜８５分未満，８５〜９０分に等分割され、２０分，２５分，３０分，…，５５分，６０分に位置するフレームがサムネイルに生成され、これらの中央である４０分に位置するフレームのサムネイルがサイズの大きいメインサムネイルとされ、メイン表示窓２ａに表示される。
【００４１】
図２（Ｃ）の例も同様であって、時間間隔が２分３０秒で、３０分００秒，３２分３０秒，３５分００秒，…，４７分３０秒，５０分００秒の位置にあるフレームがサムネイルに生成され、これらの中央である４０分に位置するフレームがサイズの大きいメインサムネイルとされ、メインメイン表示窓２ａに表示される。
【００４２】
同様にして図２（Ｄ）の例のように、時間間隔を１０秒間隔、５秒間隔、ＭＰＥＧにおけるＧＯＰの間隔とすることができる。そして、最小の時間間隔としては図２（Ｅ）の例のように、記録されたフレームの間隔とすることも可能である。
【００４３】
実施例１の動画分割表示装置において、サムネイルを選択し表示を遷移させる操作及びそのときの表示について説明する。
図３は、キー操作によって均一時間並び表示が遷移する様子を示す図である。
図３（Ａ）は、図１（Ａ）に示す均一時間並び表示による動画分割表示装置を示し、ここで均一時間並び表示において前記した縦横方向（４方向）指示キーを用いて左方向指示操作を行えば、時間刻みを小さく変更することができ、時間刻みが５分である図３（Ａ）の表示を図３（Ｂ）の表示のように２分３０秒とし、図３（Ａ）に表示された各サムネイルの中間に位置する新たなサムネイルを表示することができる。さらに左方向指示操作をｎ回行うことにより、図３（Ｃ）の表示のように最小の時間刻みである１／３０秒とすることができる。また、図３（Ｃ）の表示から右方向指示操作を繰り返すことによって、図３（Ｂ）、図３（Ａ）のように時間刻みが大きな表示に戻ることができる。
【００４４】
次に、図３（Ａ）の均一時間並び表示において、上下方向指示操作を行えば、複数のサムネイルをジャンプすることができ、メイン表示窓２ａに任意のサムネイルを移動させ、拡大表示することができる。つまり、図３（Ａ）の表示において下方向指示操作を行えば、複数のサムネイル全体が反時計方向にスクロールするようにジャンプし、４０分のサムネイル画像に代わって、メイン表示窓の右上方に隣接する３５分のサムネイルが、図３（Ｄ）のように新たにメイン表示窓の位置に移動し、そこで拡大表示される。さらに図３（Ｄ）の表示において下方向指示操作を行えば、３０分のサムネイルが、図３（Ｅ）のように新たにメイン表示窓の位置に移動し、そこで拡大表示される。また、図３（Ｅ）の表示から上方向指示操作を繰り返すことによって、図３（Ｄ）、図３（Ａ）のように複数のサムネイルを時計方向に回してジャンプさせ元の表示に戻ることができる。また、図３（Ａ）、図３（Ｂ）、図３（Ｄ）、図３（Ｅ）において、決定キーの長押し操作等によって、左右方向操作で決められた所定の時間間隔以内で、メイン表示窓上の動画を再生したり、上下方向指示キーの長押し操作等によって早送り・早戻し等を行って、所望のシーンをメイン表示窓に表示させることもできる。なお、インデックス一覧表示においても同様の操作によって、同様の表示が行われる。
【００４５】
また、図３（Ａ）の均一時間並び表示において、決定キーの操作によって、図３（Ｆ）のようにメインサムネイルのシーンより全画面再生、あるいは全画面表示とすることができる。図３（Ｆ）の全画面再生あるいは全画面表示から図３（Ａ）の表示に戻るには、メニュー画面に戻り均一時間並び表示を選択する。なお、インデックス一覧表示においても同様の操作によって、メインサムネイルを全画面表示とすることができる。
【００４６】
以上のように、本発明によれば（１）均一時間並び表示及びインデックス一覧表示による動画分割表示が可能である点、（２）サムネイル間の時間間隔あるいは時間刻みを、操作感覚と合致した簡単な操作により容易に変更することが可能である点、（３）操作感覚と合致した簡単な操作によりシーンジャンプを容易に行うことが可能である点、（４）メイン表示窓に表示されたサムネイル以降を簡単な操作により容易に全画面再生とすることが可能である点、（５）メイン表示窓中において動画の再生、早送り、巻き戻しが可能である点、（６）サムネイルとともに表示されたゲージを見ながら所望のシーンがあると予想される箇所を検索することが可能である点を基本的な特徴としている。
【００４７】
次に、情報処理装置等において、動画コンテンツに含まれる多量のシーンから所望のシーンを検索する際の操作について説明する。
図４は、動画コンテンツに含まれる多量のシーンから所望のシーンを検索する際、キー操作によって表示が遷移する様子を示す図である。
図４（Ａ）は、動画コンテンツサムネイル画面で、いろいろなタイトル（動画コンテンツ）のアイコンが画面上方に横１列に配列し、中央位置にあるアイコンには、いわゆるフォーカスが当たり、そのアイコンのフォルダが選択されている。選択されたフォルダに属する動画ファイルは、アイコンの列の下方にそのファイル名及び関連事項が上下に複数並列して配列され、その中央のファイル名及び関連事項にはフォーカスが当たり、選択されたファイルであることが明らかにされている。選択されたファイル及び選択されたファイルに隣接する前後のファイルは、その内容を表すサムネイルが生成され、ファイル名及び関連事項の側方に表示されている。
【００４８】
図４（Ａ）において、決定キーを押圧操作すると、フォーカスが当たり選択されたサムネイルは図４（Ｂ）のように全画面表示となり、それ以降の動画データの再生が始まる。再生中にＡ−Ｂリピート、シーンカット、静止画キャプチャ等の操作を行う場合、さらに機能キーを押圧すると、機能メニューが図４（Ｃ）のように重ねて表示され、上下方向指示キーで必要な機能を選択し、Ｉの処理へ移行する。
【００４９】
図４（Ａ）において、機能キーを押圧すると、図４（Ｄ）の機能メニューが重ねて表示され、上下方向指示キー操作で必要な機能を選択することができ、ここで「動画分割表示」を選択すると、図４（Ｅ）の動画分割表示画面に移行するが、ここで均一時間並び表示とインデックス一覧表示は適宜切り替えて表示することができる。図４（Ｅ）において、図３に基づいて説明したような操作により、サムネイルのジャンプ、時間刻みの変更、サムネイルの早送り・早戻りを行って所望のシーンのサムネイルをサーチし、そのサムネイルをメイン表示窓に表示させて、決定キーを押圧する等の所定の操作により、図４（Ｆ）のようにそのサムネイルを全画面表示としたり、そのサムネイルから先の動画データを再生したりすることができる。
また、図４（Ｃ）あるいは（Ｄ）において、Ａ−Ｂリピート、シーンカット、静止画キャプチャ等を選択すれば、Ｉ，IIの処理へ移行する。
【００５０】
次に、図１に示す動画分割表示装置を用いて、Ａ−Ｂリピート、シーンカット、静止画キャプチャ動作を行う操作について説明する。なお、この操作は、図４に示すＩの処理、IIの処理に相当する。
ここで、Ａ−Ｂリピートとは、シーン全体中にＡ点、Ｂ点を設定しＡ−Ｂ点間を繰り返し再生することを意味し、シーンカットとは、Ａ点、Ｂ点を設定しＡ−Ｂ点間をカットすることを意味し、静止画キャプチャとは、動画の１シーンを静止画として保存すること（シーンのキャプチャ）を意味する。
【００５１】
図５は、Ａ−Ｂリピート及びシーンカットを行う際、Ａ，Ｂ点の設定時にキー操作によって表示が遷移する様子を示す図である。
図５（Ｇ）は、図４のＩ，IIの続きのシーンが表示され、時間刻みが小さく表示された均一時間並び表示、インデックス一覧表示の例が示され、それぞれシーンカットまたはＡ−Ｂリピートを行うためのＡ点を設定するよう指示されている。ここで、図５（Ｈ）のように、上下方向指示キー操作によってサムネイルを時計方向または反時計方向に回るようにジャンプさせて、所望のサムネイルをメイン表示窓の位置に移動させ、また左右方向指示キー操作によって時間刻みを変更する、あるいは上下方向指示キーの長押し操作等によって早送り・早戻しを行う等して、所望のシーンをメインサムネイルに表示させ決定キーを操作をすることにより、図５（Ｉ）のようにＡ点を設定する。次に、図５（Ｊ）のようにＢ点を設定するよう指示されるので、再度、図５（Ｈ）においてＡ点の設定時と同様の操作を行うことにより図５（Ｉ）のようにＢ点を設定し、図５（Ｋ）の全画面表示に移行し、Ａ−Ｂリピートを開始し、Ａ−Ｂ間を繰り返し再生する。あるいは、シーンカット後のシーンより再生する。
なお、図５（Ｇ）において、均一時間並び表示とするかあるいはインデックス一覧表示とするかは、画像再生を行う用途や機能によって適当なものに選択されるが、適宜相互に変更可能である。
【００５２】
図６は、静止画キャプチャを行う際、キー操作によって表示が遷移する様子を示す図である。
図６(Ｇ)は、図４のＩ，IIの続きのシーンが表示され、時間刻みが小さく表示された均一時間並び表示及びインデックス一覧表示の例が示され、それぞれ静止画キャプチャを行うためのシーンを選定するよう指示されている。
図６(Ｇ)の表示において、上下方向指示キー操作によって、図６(Ｌ)のようにサムネイルを時計方向または反時計方向に回るようにジャンプさせ、また時間刻みを変更してシーンサーチを行い、所望のシーンがメイン表示窓の位置に来たら決定キー操作をすることにより、図６(Ｍ)のように静止画として保存することができる。このとき、画面上に保存したことを表す表示がなされ、一定時間が経過すると、図６(Ｎ)のように全画面再生が行われる。
【００５３】
均一時間並び表示において、時間間隔を変更する方法について詳細に説明する。
図７は、均一時間並び表示において、時間間隔を変更する際、キー操作によって表示が遷移する様子を時間スケールとともに示す図である。ここで、動画ファイルの全体の再生時間は９０分であり、画面の動画表示部に９個のサムネイルを表示するものとし、１回目の操作で時間間隔が１０分から５分へ、次の操作で５分から１分へ、３回目の操作で１分から３０秒分へと予め決められた値に変更されていくものである。
図７（Ａ）は、サムネイル間の時間間隔を１０分とした場合で、図７（Ａ）の左側に示す時間スケールのように全体で９０分の動画ファイルを先頭から０〜１０分未満，１０〜２０分未満，…，８０〜９０分の領域に９等分され、０分，１０分，…，８０分の位置にあるフレームがサムネイルに形成される。これらの○印が付いているフレームが図７（Ａ）の右図のように一覧表示され、そのうちの４０分に位置するフレームがサイズの大きいメインサムネイルとされ、メイン表示窓の位置に中央表示される。そして、各フレーム間の時間間隔については、前記したようにゲージ４に表示するか、または画面の任意の位置に表示することができる。
【００５４】
図７（Ｂ）は、サムネイル画像間の時間間隔を５分とした場合で、全フレームが先頭から０〜５分未満，５〜１０分未満，１０〜１５分未満，…，８０〜８５分未満，８５〜９０分に等分割され、２０分，２５分，３０分，…，５５分，６０分の位置にある９フレームがサムネイルに形成され、これらの中央である４０分に位置するフレームがサイズの大きいメインサムネイルとされ、メイン表示窓の位置に表示される。
【００５５】
図７（Ｃ）は、サムネイル間の時間間隔を１分とした場合で、全フレームが先頭から０〜１分未満，１〜２分未満，２〜３分未満，…，８８〜８９分未満，８９〜９０分に等分割され、３６分，３７分，３８分，…，４３分，４４分の位置にある９フレームがサムネイルに形成され、これらの中央である４０分に位置するシーンがサイズの大きいメインサムネイル画像とされ、メイン表示窓の位置に中央表示される。
【００５６】
同様にして、図７（Ｄ）に示すように、各フレーム間の時間間隔を３０秒間隔、１０秒間隔、５秒間隔等とすることができる。そして、最小の時間間隔としては、記録されたフレームの間隔とすることができ、３０フレーム／秒とすれば時間間隔は１／３０秒となる。
以上のようなサムネイル間の時間間隔の変更は、キーボードの左右方向指定キーの操作によって任意の時間間隔に設定して行うことができる。
【００５７】
均一時間並び表示において、時間間隔を変更する他の例について説明する。
図８は、均一時間並び表示において、時間間隔を変更する際、キー操作によって表示が遷移する様子を時間スケールとともに示す他の例の図である。ここで、動画ファイルの全体の再生時間は９０分であり、画面の動画表示部に９個のサムネイルを表示するものとしている。
１回の時間間隔変更操作でメイン表示窓を基準として前後のサムネイル間を表示するように、メイン表示窓の前後のサムネイル時間を表示サムネイル枚数（図８では９枚表示されているので８で割る）によった数で割った値を次の時間間隔とする。
図８（Ａ）は、サムネイル間の時間間隔を１０分とした場合で、図７（Ａ）に示したのと同様の表示である。
【００５８】
図８（Ｂ）の表示は、図８（Ａ）の表示の中央表示、つまりメイン表示窓に表示されたサムネイルを基準として前後１０分である３０〜５０分を８等分し、時間分割を２分３０秒とし、３０分〜３２分３０秒未満，３２分３０秒〜３５分未満，３５分〜３７分３０秒未満，…，４５分〜４７分３０秒未満，４７分３０秒〜５０分に分割し、３０分，３２分３０秒，３５分，…，４７分３０秒，５０分の図８（Ｂ）の左の時間スケール上の○印の位置にある９フレームがサムネイルに形成し、これらの中央である４０分に位置するフレームがサイズの大きいメインサムネイルとされ、メイン表示窓の位置に中央表示される。
【００５９】
図８（Ｃ）の表示は、図８（Ｂ）の中央表示前後２分３０秒、つまり３７分３０秒〜４２分３０秒のフレームを、３７分３０秒〜３８分０７．５秒未満，３８分０７．５秒〜３８分４５秒未満，３８分４５秒〜３９分１２．５秒未満，…，４１分５２．５秒〜４１分５２．５秒未満，４１分５２．５秒〜４２分３０秒に８等分し、３７分３０秒，３８分０７．５秒，３８分４５秒，…，４１分５２．５秒，４２分３０秒の位置にある９フレームをサムネイルに形成し、これらの中央である４０分００秒に位置するフレームがサイズの大きいメインサムネイルとされ、メイン表示窓の位置に中央表示される。
【００６０】
均一時間並び表示において、時間単位を変更する更に他の例について説明する。
図９は、図７、図８と同様に、均一時間並び表示において、時間間隔を変更する際、キー操作によって表示が遷移する様子を時間スケールとともに示している。ここで、動画ファイルの全体の再生時間は９０分であり、画面の動画表示部に９個のサムネイルを表示するものとしている。
図９では、１回の時間間隔変更操作で、時間間隔（時間刻み）を１／２にする。図９（Ａ）の表示は、サムネイル間の時間間隔を１０分とした場合で、図８（Ａ）に示したのと同様の表示である。
【００６１】
図９（Ｂ）の表示は、図９（Ａ）の表示において、サムネイル間の時間間隔を１／２の５分とし、中央表示されるフレームの前後の計９枚のフレームをサムネイルとし、図９（Ａ）の左図の時間スケール上の○印の２０分，２５分，３０分，…，５５分，６０分の位置にあるフレームがサムネイルに形成され、表示される。
【００６２】
図９（Ｃ）の表示は、図９（Ｂ）の表示においてサムネイル間の時間間隔をさらに１／２にして、２分の３０秒としたもので、３０分００秒，３２分３０秒，３５分００秒，…，４７分３０秒，５０分００秒の位置にあるフレームがサムネイルに形成され、表示される。
同様にして、時間間隔を１／２にすることを繰り返し、１分１５秒，３７.５秒…と変更することができ、最小の時間間隔としては、記録されたフレームの間隔以下でない所定の時間間隔とすることができる。
【００６３】
次に、動画分割表示において、シーンジャンプを行う操作について説明する。
図１０は、均一時間並び表示において、シーンジャンプを行う操作及びそのときの表示を示す図である。
図１０（Ａ）の表示において、メイン表示窓に表示されたサムネイルＥをサムネイルＤの位置に１枚ジャンプさせ、サムネイルＦをメイン表示窓に表示するには、上方向指定キーを操作する。複数のサムネイル全体が時計方向に回り、サムネイルＦがメイン表示窓に拡大して表示される。
逆回りに１枚ずつジャンプさせるには、下方向指定キーを操作する。
【００６４】
サムネイル間の時間間隔が小さいときに、表示されているフレームと時間的に離れてたシーン、つまりサムネイルとして表示されていないシーンまで飛ばして表示する必要があるような場合には、飛ばす枚数を方向指定キーで指定することができる。図１０（Ｂ）の表示において、メイン表示窓に表示されたメインサムネイルＥをサムネイルＣの位置に１枚飛ばしてジャンプさせ、サムネイルＧをメイン表示窓に表示するには、右方向指定キーと上方向指定キー用いて、１枚飛ばしてジャンプすることを設定する。
【００６５】
図１０（Ｃ）の表示において、サムネイルを３枚飛ばしてジャンプさせ、サムネイル画像Ｉをメイン表示窓に中央表示するには、右方向指定キーを２回押圧し、上方向指定キーを押圧する。
ここで、飛ばす枚数を設定する操作は、右方向指定キーの押圧回数によって図１０（Ａ）の側方に示すような操作によって設定することができる。
【００６６】
図１１は、動画分割表示において、シーンジャンプを行う操作及びそのときの表示を示す図である。
図１１においてシーンジャンプを行う際の操作は、均一時間並び表示及びインデックス一覧表示のいずれにも適用することができる。
図１１（Ａ）の表示において、上方向指示キーを押圧すると、複数のサムネイル全体が時計方向に回ってジャンプし、図１１（Ｂ）のように、メイン表示窓に２ａに表示されていたサムネイルＥがサムネイルＤの位置に移動し、サムネイルＦがメイン表示窓に拡大して表示される。同様の操作により、図１１（Ｃ）のように、サムネイルＧがメイン表示窓に拡大して表示される。
【００６７】
図１１（Ａ）の表示において、右方向指示キーを１回押圧し、続いて上方向指示キーを押圧すると、複数のサムネイル全体が時計方向に回って、図１１（Ｄ）のように１枚飛ばしのジャンプが行われ、メイン表示窓に拡大して表示されていたサムネイルＥがサムネイルＣの位置に移動し、サムネイルＧがメイン表示窓に拡大して表示される。同様の操作により、図１１（Ｅ）のように、サムネイルＩがメイン表示窓に拡大して表示される。
【００６８】
図１１（Ａ）の表示において、右方向指示キーを２回押圧し、続いて上方向指示キーを押圧すると、サムネイル全体が時計方向に回って、図１１（Ｆ）のように３枚飛ばしのジャンプが行われ、メイン表示窓に拡大して表示されていたサムネイルＥがサムネイルＡの位置に移動し、サムネイルＩがメイン表示窓に表示される。
同様にして、右方向指示キーを２回押圧し、続いて上方向指示キーを押圧すると、図１１（Ｇ）のように、表示外のサムネイルＭがメイン表示窓に拡大して中央表示される。
【実施例２】
【００６９】
図１２は、実施例２の動画分割表示装置を示す図である。
実施例１の動画分割表示装置は、メイン表示窓２ａから右上方及び右下方に直線状に複数のサムネイルが配列し、全体として略く字状をなしたものであるが、実施例２の動画分割表示装置は、図１２（Ａ），（Ｂ）に示すように、メイン表示窓２ａの上部及び下部から右上方及び右下方に弧状にサムネイルを配列し、全体として略Ｃ字状をなすように配列したものである。このようなサムネイルの配列により、表示領域の上下間隔を小さくすることができ、表示効率を向上することが可能となる。
【００７０】
図１２（Ａ）の表示におけるサムネイルの配列においては、１２０分番組を１０分刻みで１２個のサムネイルを生成し、そのうちの９個を表示したものである。
メイン表示窓２ａに表示されている拡大されたサムネイルは、０分〜１０分未満のうちの０分のスタートシーンを表すスタートサムネイルであり、スタートサムネイルから反時計方向に、１０分、２０分、…、１００分、１１０分の各サムネイルが表示され、５０分、６０分、７０分の各サムネイルについては表示外となっている。図１２（Ａ）の表示によれば、０分のスタートサムネイルと１１０分のエンドサムネイルとが隣接して表示され、全体のシーンがループ状に表示される。
【００７１】
これに対して、図１２（Ｂ）の表示におけるサムネイルの配列においては、スタートシーンのスタートサムネイルとエンドシーンのエンドサムネイルとを隣接して表示しない。つまり、メイン表示窓に表示されている０分のスタートサムネイルから右下方に１０分、２０分、３０分、４０分の各サムネイルが表示され、５０分、６０分、…、１００分、１１０分の各サムネイルについては表示外となっており、スタートシーンとエンドシーンとをループ状に表示させないので、例えばドラマの導入部分と結末部分とが同時に表示されるといったことがない。
【実施例３】
【００７２】
図１３は、実施例３の動画分割表示装置を示す図である。
実施例３の動画像分割表示装置は、１２０分番組を１０分刻みで１２個のサムネイルＡ〜Ｌを生成し、そのうち７個を表示するもので、実施例１の動画分割表示装置のアレンジを変更したものに相当し、図１３（Ａ）のように、メイン表示窓２ａを画面左右方向の中央部に配置し、メイン表示窓２ａの左上から左方向に一方の複数の表示窓を配列し、メイン表示窓２ａの右下から右方向に他方の複数の表示窓を配列し、サムネイルの配列を全体として階段状に配置したものである。
図１３（Ａ）の表示は、１２個のサムネイルＡ〜ＬのうちのサムネイルＢ〜Ｈが表示され、サムネイルＥが拡大されてメイン表示窓２ａに表示されている。
【００７３】
図１３（Ａ）の表示において、下方向指示キーを４回押圧することにより、サムネイルを下に向って４回ジャンプさせ、図１３（Ｂ）のように、０分のスタートサムネイルＡをメイン表示窓に表示させ、またサムネイルＢ、Ｃ、Ｄを表示させる。このとき、エンドシーン側のシーンＪ、Ｋ、Ｌを表示外とし、スタートサムネイルＡにエンドサムネイルＬを隣接して表示させない。
【００７４】
図１３（Ａ）において、上方向指示キーを７回押圧することにより、サムネイルを上に向って７回ジャンプさせ、図１３（Ｃ）のように、１１０分のエンドサムネイルＬをメイン表示窓２ａに表示させ、またサムネイルＩ、Ｊ、Ｋを左上方に表示させる。このとき、スタートシーン側のサムネイルＡ、Ｂ、Ｃを表示外とし、エンドサムネイルＬにスタートサムネイルＡを隣接して表示させない。なお、図１３（Ａ）から図１３（Ｃ）の表示に遷移するために、上方向指示キーを７回操作してサムネイルを７回ジャンプさせるのに代え、図１０，１１に基づいて説明したのと同様に、左右方向指示キーを用いてサムネイルを飛ばして、所望のサムネイルをメインサムネイルに表示することもできる。また、図１２（Ａ）に示すのと同様にスターとサムネイルＡとエンドサムネイルＬが並ぶようにループさせて表示することもできる。さらに、サムネイル全体を上下方向に移動させてメインサムネイル２ａの位置をずらすことにより、より多くのサムネイルを表示することもできる。
【実施例４】
【００７５】
図１４は、実施例４の動画分割表示装置を示す図である。
実施例４の動画分割表示装置は、１２０分番組を１０分刻みで１２個のサムネイルＡ〜Ｌを生成し、そのうち７個を表示するもので、実施例３の動画分割表示装置のアレンジを変更したものに相当し、メイン表示窓２ａを画面左右方向の中央部に配置し、メイン表示窓２ａの左上から左上方向に一方の複数の表示窓を配列し、メイン表示窓２ａの右下から右下方向に他方の複数の表示窓を配列し、サムネイルの配列を全体として対角線状に配置したものである。
図１４（Ａ）の表示は、１２個のサムネイルＡ〜ＬのうちのサムネイルＢ〜Ｈが表示され、サムネイルＥが拡大されてメイン表示窓２ａに表示されている。
【００７６】
図１４（Ｂ）の表示は、図１４（Ａ）において下方向指示キーを４回押圧することにより、複数のサムネイル全体を下方向に４回ジャンプさせ、０分のスタートサムネイルＡをメイン表示窓２ａに表示させるとともにサムネイルＢ、Ｃ、Ｄを表示させることができるが、このときエンド側のサムネイルＪ、Ｋ、Ｌは表示させない。この状態で、全てのメイン表示窓を図１４（Ｂ）のように上方向に移動することにより、より多くのシーンを表示させることができる。
【００７７】
また、図１４（Ｃ）は、図１４（Ａ）において上方向指示キーを７回押圧することにより、複数のサムネイルを上方向に７回ジャンプさせ、１１０分のエンドサムネイルＬをメイン表示窓２ａに表示させるとともにシーンＩ、Ｊ、Ｋを表示させることができるが、このときスタート側のシーンＡ、Ｂ、Ｃは表示させない。この状態で、全体の表示窓をサムネイルとともに下方向に移動させ、図１４（Ｃ）のようにエンドサムネイルＬを表示する際は、より多くのシーンを表示させることができる。なお、図１４（Ａ）から図１４（Ｃ）の表示に移動するために、上方向指示キーを７回操作してサムネイルを７回ジャンプさせるのに代え、図１０，１１に基づいて説明したのと同様に、左右方向指示キーを用いてサムネイルを飛ばして、所望のサムネイルをメインサムネイルに表示することもできる。
【実施例５】
【００７８】
図１５は、実施例５の動画分割表示装置において、１サムネイルずつのシーンジャンプ及び１／２ずつの時間間隔変更を行う操作及びそのときの表示を示す図である。ここで、動画ファイルの全体の再生時間は７０分であり、画面の動画表示部に９個のサムネイルを表示するものとしている。
実施例５のインデックス一覧表示装置は、サムネイルが全体として略Ｃ字状に配列した表示例で、図１５（Ａ）の表示は、時間刻みが１０分であるため、０分，１０分，２０分，…，６０分の７シーンを表示するサムネイルＡ〜Ｇが配列され、０分のスタートサムネイルＡがメイン表示窓２ａに表示され、６０分のエンドシーンのサムネイルＧとスタートシーンのサムネイルＡ間に２個のサムネイル分のウィンドゥスペースがブランクになっている。そして、図に示す位置に境界線を設け、スタートシーン側のサムネイル及びエンドシーン側のサムネイルは、境界線を越えて移動（ジャンプ）しないようにされている。
【００７９】
図１５（Ａ）において、上方向指定キーを押圧すると、全フレームＡ〜ＧのサムネイルＡ〜Ｇが時計方向に回るように１回ジャンプし、図１５（Ｂ）のように、サムネイルＢがメイン表示窓位置に移動する。
続いて、図１５（Ｂ）において、上方向指定キーを２回押圧すると、２回ジャンプし、図１５（Ｃ）のように、サムネイルＤがメイン表示窓位置に移動し、サムネイルＡは境界線を越えるため消去され、エンドサムネイルＧ以降の３スペースがブランクとされる。
さらに、図１５（Ｃ）において、上方向指定キーを３回押圧すると、図１５（Ｄ）のように、エンドサムネイルＧがメイン表示窓位置に移動し、サムネイルＡ〜Ｄは境界線を越えるため消去され、エンドサムネイルＧ以降の６スペースがブランクとされる。
なお、図１５（Ｂ）〜（Ｄ）の表示において、下方向指定キーを所定回押圧することにより図１５（Ａ）〜（Ｃ）の表示に戻ることができる。
【００８０】
図１５（Ａ）において、左方向指定キーを押圧すると、図１５（Ｅ）のように、各サムネイル間の時間間隔が１／２の５分に変更され、サムネイルＡ−Ｂ，Ｂ−Ｃ，Ｃ−Ｄ，…，Ｆ−Ｇ間に新たに５分，１５分，２５分，…，６５分のサムネイルが挿入され、３５分以降のサムネイルは境界線を越えるため消去され表示されない。図１５（Ｅ）から図１５（Ａ）の表示に戻るには、右方向指定キーを押圧すればよい。
【００８１】
また、同様にして、図１５（Ｂ），（Ｃ），（Ｄ）において、左方向指定キーを所定回数押圧すると、それぞれ図１５（Ｆ），（Ｇ），（Ｈ）のように、サムネイル間の時間間隔が変更される。
また、図１５（Ｆ），（Ｇ），（Ｈ）において、右方向指定キーを所定回数押圧すると、図１５（Ｂ），（Ｃ），（Ｄ）の表示に戻ることができる。
【実施例６】
【００８２】
図１６は、実施例６の動画分割表示装置において、１サムネイルずつのシーンジャンプ及び１／２ずつの時間間隔変更を行う操作を示す図である。ここで、動画ファイルの全体の再生時間は７０分であり、画面の動画表示部に９個のサムネイル画像を表示するものとしている。
実施例６の均一時間並び表示装置は、実施例５の動画分割表示装置における境界線を設けないが、その代わりに、一連のサムネイルのうち、スタートシーン側とエンドシーン側には１サムネイル画像ずつスペースを介在させる、つまり一連のサムネイルをループ状に配列したときスタートサムネイルとエンドサムネイルとが隣接して配設されることがないようにする点で相違する。
【００８３】
図１６（Ａ）において、上方向指定キーを３回押圧すると、全サムネイルＡ〜Ｇが時計方向に回るように３回ジャンプし、図１６（Ｂ）のように、サムネイルＤがメイン表示窓２ａに拡大して表示される。このとき、境界線がないため、サムネイルＡは画面から消去されることはない。
図１６（Ｂ）において、上方向指定キーを３回押圧すると、３回ジャンプし、図１６（Ｃ）のように、サムネイルＧがメイン表示窓に表示される。
図１６（Ｂ），（Ｃ）において、下方向指定キーを所定回数押圧すると、図１６（Ｂ），（Ａ）の表示に戻ることができる。この場合、スタートサムネイルＡとエンドサムネイルＧとが隣接することはない。
【００８４】
図１６（Ａ）において、左方向指定キーを押圧すると、図１６（Ｄ）のように、各サムネイル間の時間間隔が１／２の５分刻みに変更され、サムネイルＡ−Ｂ，Ｂ−Ｃ，Ｃ−Ｄ，…，Ｆ−Ｇ間に新たに５分，１５分，２５分，…，６５分のサムネイルが挿入され、サムネイルＡ〜３０分のサムネイルが表示されるが、３５分のサムネイル以降は表示されず、スタートサムネイルＡとの間に２個のサムネイル画像の分がスペースとしてあけられる。
図１６（Ｄ）から図１６（Ａ）の表示に戻るには、右方向指定キーを押圧すればよい。
【００８５】
図１６（Ｂ）において、左方向指定キーを押圧すると、図１６（Ｅ）のように、サムネイル間の時間間隔が５分刻みに変更される。５０分のサムネイルＦと１０分のサムネイルＢは表示されず、スペースとしてあけられる。
図１６（Ｅ）から図１６（Ｂ）の表示に戻るには、右方向指定キーを押圧すればよい。
【００８６】
図１６（Ｃ）において、左方向指定キーを押圧すると、図１６（Ｆ）のように、サムネイル間の時間間隔が５分刻みに変更される。さらに、図１６（Ｆ）において、左方向指定キーを押圧すると、図１６（Ｇ）のように、サムネイル間の時間間隔が２分３０秒刻みに変更され、例えば５０分のサムネイルＦと６０分のサムネイルＧ間に、５２分３０秒、５５分、５７分３０秒の各サムネイルが挿入されるが、５０分のサムネイルＦは消去される。
図１６（Ｇ），（Ｆ）において、右方向指定キーを所定回数押圧すると、図１６（Ｆ），（Ｃ）の表示に戻ることができる。
【００８７】
サムネイル表示の遷移とゲージの遷移との関係について説明する。
図１７は、均一時間並び表示において表示されているサムネイルの遷移とゲージの遷移を示す図である。
図１７（Ａ）は、図１（Ａ）の均一時間並び表示においてサムネイルのエンド側を表示しないようにしたものに相当し、動画ファイルの全体の再生時間は２時間、各サムネイル間の時間間隔は１分刻みで、メイン表示窓２ａには中央表示として０分のスタートシーンのスタートサムネイルが拡大して表示され、右下方に１分〜４分のサムネイルが表示されている。このとき、動画表示部１の右側方のゲージ４には、動画ファイルの全体の再生時間は２時間であることがゲージ４の全長によって表示され、メイン表示窓２ａに表示されたメインサムネイルの位置を示す中央表示マーク４ａとともに、現在表示されている０分〜４分のサムネイルの範囲がファイル全体に対して占める割合を示す範囲バー４ｂが表示される。
【００８８】
図１７（Ａ）において、左方向指示キーを押圧すると、各サムネイル間の時間間隔が例えば５分刻みに変更され、０分のスタートサムネイルの右下方に５分，１０分，１５分，２０分のサムネイルが表示される。このとき、割合を示すバーの長さは２０分間に対応し、５個のサムネイルが表示されていることについても表示される。
【００８９】
図１７（Ｂ）において、上方向指示キーを３回押圧すると、各シーンは時計回りに３回ジャンプし、図１７（Ｃ）のように、１５分のシーンのサムネイルが中央表示としてメイン表示窓２ａに拡大して表示され、０分〜３５分の７シーンのサムネイルが表示される。このとき、中央表示マーク４ａは連動して１５分の位置に移動し、範囲バー４ｂは３５分間に対応して長くなり、７個のサムネイルが表示されていることについても表示される。
【００９０】
図１７（Ｃ）において、さらに上方向指示キーを４回押圧すると、４回ジャンプし、図１７（Ｄ）のように、３５分のシーンのサムネイルがメイン表示窓に拡大して表示され、１５分〜５５分の９サムネイルが表示され、ゲージ４の中央表示マーク４ａは３５分の位置に移動し、範囲バー４ｂは４５分間に対応した長さになり、９個のシーンのサムネイルが表示されていることについても表示される。
【００９１】
図１８は、インデックス一覧表示において表示されているサムネイルの遷移とゲージの遷移を示す図である。
図１８（Ａ）は、インデックス一覧表示においてシーンのエンド側を表示しないようにしたものに相当し、動画ファイルの全体の再生時間は２時間、各シーン間の時間間隔はユーザによって、０分のスタートサムネイルから、１０分目，１１分目，１２分目，６２分目，７２分目，…というようなインデックスが設定され、その結果、０分，１０分，１１分，１２分，６２分，７２分の６シーンのサムネイルが表示され、メイン表示窓２ａには中央表示として１０分のサムネイルが表示されている。このとき、ゲージ４には、動画ファイルの全体の再生時間は２時間であることが表示され、中央表示の位置を示す中央表示マーク４ａとともに、現在表示されている０分〜７２分のサムネイルの範囲がファイルに対して占める割合を示す範囲バー４ｂが表示される。
【００９２】
図１８（Ａ）において、上方向指定キーを５回押圧すると、図１８（Ｂ）に示すように８２分のサムネイルがメイン表示窓に移動して表示されるが、これ以降のサムネイルはユーザによって設定されていないため表示されない。このとき、ゲージ４には、メイン表示窓の表示された中央表示のサムネイルは８２分のサムネイルであること、及び現在表示されている１１分〜８２分のサムネイルの範囲がファイルに対して占める割合が範囲バー４ｂによって表示される。
【００９３】
図１８（Ｃ）はインデックス一覧表示の特別な場合の例を示し、ユーザによって各サムネイル間の時間間隔が均一に設定されると、均一時間並び表示と同様の表示が行われ、このときのゲージ４も均一時間並び表示におけるのと同様に表示される。
【００９４】
次に、均一時間並び表示とインデックス一覧表示の切り替えについて説明する。
図１９は、均一時間並び表示とインデックス一覧表示を相互に切り替える操作及びそのときの表示を示す図である。
均一時間並び表示とインデックス一覧表示を相互に切り替えるには、３種類の操作方法が考えられている。
（１）機能メニューより切替える方法
この方法は、図１９（Ａ）に示すように、いずれかを表示した状態でそれぞれの画面に機能メニューを表示させ、所望の表示を選択して切替える。
【００９５】
（２）機能メニューによらず切替える第１の方法
この方法は、図１９（Ｂ）に示すように、均一時間並び表示及びインデックス一覧表示中の詳細情報表示部３に隣接した位置に時間間隔表示部５が表示され、ここに現在のサムネイル相互間の時間間隔（時間刻み）が表示されるとともに、その側方に表示された右方向マークをポイントすると、時間間隔が、「Ｍｉｎ」，…，「３０秒」，「１分」，「５分」，「１０分」，…，「Ｍａｘ」，「インデックス」の順に循環表示され、また左方向マークをポイントすると、逆順に循環表示され、「インデックス」以外のいずれかが表示された状態で決定キーを押圧すれば、指定された時間間隔が設定されて均一時間並び表示となるか、または「インデックス」を選択すればインデックス一覧表示となる。
【００９６】
（３）機能メニューによらず切替える第２の方法
この方法は、図１９（Ｃ）に示すように、均一時間並び表示及びインデックス一覧表示中の詳細情報表示部３に隣接した位置に時間間隔表示部５が表示され、この時間間隔表示部５の上段５ａには均一時間並び表示において選択可能な時間間隔が横方向に並んで表示され、下段５ｂにはインデックス一覧表示を示す表示がなされ、左右方向指示キーを操作して均一時間並び表示とともに時間間隔を変更し、下方向指示キーを操作してインデックス一覧表示を選択する。
【００９７】
次に、本発明の動画分割表示装置においてなされる画像処理について説明する。
図２０は、本発明の動画分割表示装置において、サムネイルを生成し、表示する画像処理装置を示すブロック図である。
本発明の動画分割表示装置の画像処理装置の例においては、再生しようとする動画ファイルはＭＰＥＧ圧縮され、そのＧＯＰ（Group of Pictures）がストリームデータに配列されてハードディスクに記録されており、このようなハードディスクを搭載したハードディスク装置１１、ファイルシステム部１２、動画ファイルＩピクチャ検出部１３、動画ファイルＩピクチャデコード部１４、画像レイアウト処理部１５、画像とリスト画面の合成表示処理部１６、モニタ出力部１７、ＣＰＵからなる、動画ファイル、サムネイルリスト表示制御部１８、サムネイルリスト画面作成部１９、操作パネル、表示ボタン２０ａが接続された操作パネル制御検出部２０等から構成されている。
【００９８】
図２１は、図２０に示す画像処理装置において、サムネイル画面とサムネイルリスト画面（ＯＳＤ画面）を合成し表示する際の処理を示すフローチャートである。
表示画面を備えた情報処理装置において、ユーザが操作パネル２０ａ、表示ボタンを操作して、サムネイルリスト画面（ＯＳＤ画面）を生成し表示するように指示する（ステップ１）と、操作パネル制御検出部２０にて、リスト画面表示要求を検出する（ステップ２）。
【００９９】
動画ファイルサムネイルリスト表示制御部１８にて、ファイルシステム部１２を介して、ハードディスク装置１１から動画ファイルのファイル情報（名前、再生時間等）を読み出し、さらに動画ファイルＩピクチャ検出部１３にて、動画ファイルからＩピクチャデータの位置情報を取得する（ステップ３）。ここで、動画ファイルの位置情報（Ｉピクチャのアドレス）と時間情報の関係は、図２２の下方に示す表のようになっている。
【０１００】
ステップ３で取得したファイル情報とＩピクチャ位置情報から、サムネイルリスト画面作成部１９にて、リスト画面（ＯＳＤ画面）を作成する（ステップ４）。次に、取得したＩピクチャ位置情報から、動画ファイルサムネイルリスト表示制御部１８にて、表示する時間間隔（例えば、１０分）に該当するＩピクチャ位置情報のみを抜き出し、そのＩピクチャの画像のを動画ファイルＩピクチャデコード部１４でデコードする（ステップ５）。
【０１０１】
ステップ５でデコードした画像ファイルを画像レイアウト処理部１５にて、必要な画面位置にレイアウトする（ステップ６）。次に、画像とリスト画面の合成表示処理部１６にて、ステップ４で作成したリスト画面（ＯＳＤ画面）と、ステップ６にて作成した画像レイアウト画面を合成し（ステップ７）、モニタ出力部１７にて、作成した複数のサムネイル画像からなる動画分割表示画面をモニタ出力する（ステップ８）。
【０１０２】
動画分割表示画面において、サムネイル間の時間間隔を変更する際の処理について説明する。
図２２は、動画分割表示画面において、サムネイル間の時間間隔を変更する際の処理を示すフローチャートである。
ユーザは、操作パネル２０ａを用いて、左右方向の操作ボタンを操作すると（ステップ１１）、操作パネル制御検出部２０にて、リスト画像の時間間隔変更要求が検出される（ステップ１２）。ここで、左方向の操作ボタンにより時間間隔は縮少され、右方向の操作ボタンにより時間間隔は拡大される。
【０１０３】
動画ファイルＩピクチャ検出部１３から取得したＩピクチャ位置情報から、動画ファイルサムネイルリスト表示制御部１８にて、変更した時間間隔（例えば、５分）に該当するＩピクチャ位置情報のみ抜き出し、そのＩピクチャの画像のみ、動画ファイルＩピクチャでコード部１４にてデコードし、画像レイアウト処理部１５にてサムネイル画面を作成する（ステップ１３）。
【０１０４】
次に、サムネイルリスト画面作成部１９にて時間間隔を変更したサムネイルリスト画面（ＯＳＤ画面）を作成し（ステップ１４）、画像とサムネイルリスト画面の合成表示処理部１６にて、ステップ１３で作成したサムネイル画面と、ステップ１４で作成したサムネイルリスト画面を合成し（ステップ１５）、モニタ出力部１７にて、作成した動画分割表示画面をモニタ出力する（ステップ１６）。
【０１０５】
動画分割表示画面において、サムネイルの表示位置を変更（ジャンプ）する際の処理について説明する。
図２３は、サムネイルリスト画面において、サムネイルの表示位置を変更する際の処理を示すフローチャートである。
ユーザは、操作パネル２０ａを用いて、上下方向の操作ボタンを操作すると（ステップ２１）、操作パネル制御検出部２０にて、サムネイルリスト画像の表示開始位置変更要求が検出される（ステップ２２）。ここで、カーソルレバーの上方向操作により表示開始位置を１つ進ませ上方向にジャンプし、下方向の操作ボタンにより表示開始位置を１つ戻し下方向にジャンプする。
【０１０６】
表示するＩピクチャ位置情報を変更し（例えば、１つ進ませる）、該当するＩピクチャの画像のみ、動画ファイルＩピクチャでコード部１４にてデコードし、画像レイアウト処理部１５にてサムネイル画面を作成する（ステップ２３）。また、サムネイルリスト画面作成部１９にて時間間隔を変更したサムネイルリスト画面（ＯＳＤ画面）を作成する（ステップ２４）。
【０１０７】
画像とサムネイルリスト画面の合成表示処理部１６にて、ステップ２４で作成したサムネイルリスト画面と、ステップ２３で作成したサムネイル画面を合成し（ステップ２５）、モニタ出力部１７にて、作成した動画分割表示画面をモニタ出力する（ステップ２６）。
【図面の簡単な説明】
【０１０８】
【図１】実施例１の動画分割表示装置を示す図で、図１（Ａ）は、均一時間並び表示による動画分割表示装置を示し、図１（Ｂ）は、インデックス一覧表示による動画分割表示装置を示す。
【図２】均一時間並び表示におけるサムネイル間の時間間隔を説明するための図である。
【図３】キー操作によって均一時間並び表示が遷移する様子を示す図である。
【図４】動画コンテンツに含まれる多量のシーンから所望のシーンを検索する際、キー操作によって表示が遷移する様子を示す図である。
【図５】Ａ−Ｂリピート及びシーンカットを行う際、Ａ，Ｂ点の設定時にキー操作によって表示が遷移する様子を示す図である。
【図６】静止画キャプチャを行う際、キー操作によって表示が遷移する様子を示す図である。
【図７】均一時間並び表示において、時間間隔を変更する際、キー操作によって表示が遷移する様子を時間スケールとともに示す図である。
【図８】均一時間並び表示において、時間間隔を変更する際、キー操作によって表示が遷移する様子を時間スケールとともに示す他の例の図である。
【図９】均一時間並び表示において、時間間隔の１／２変更を繰り返して変更する際、キー操作によって表示が遷移する様子を時間スケールとともに示す更に他の例の図である。
【図１０】均一時間並び表示において、シーンジャンプを行う操作及びそのときの表示を示す図である。
【図１１】動画分割表示において、シーンジャンプを行う操作及びそのときの表示を示す図である。
【図１２】実施例２の動画分割表示装置を示す図である。
【図１３】実施例３の動画像分割表示装置を示す図である。
【図１４】実施例４の動画像分割表示装置を示す図である。
【図１５】実施例５の動画分割表示装置において、１サムネイルずつのシーンジャンプ及び１／２ずつの時間間隔変更を行う操作及びそのときの表示を示す図である。
【図１６】実施例６の動画分割表示装置において、１サムネイルずつのシーンジャンプ及び１／２ずつの時間間隔変更を行う操作を示す図である。
【図１７】均一時間並び表示において表示されているサムネイルの遷移とゲージの遷移を示す図である。
【図１８】インデックス一覧表示において表示されているサムネイルの遷移とゲージの遷移を示す図である。
【図１９】均一時間並び表示とインデックス一覧表示を相互に切り替える操作及びそのときの表示を示す図である。
【図２０】本発明の動画分割表示装置において、サムネイルを生成し、表示する画像処理装置を示すブロック図である。
【図２１】図２０に示す画像処理装置において、サムネイル画面とサムネイルリスト画面（ＯＳＤ画面）を合成し表示する際の処理を示すフローチャートである。
【図２２】動画分割表示画面において、サムネイル間の時間間隔を変更する際の処理を示すフローチャートである。
【図２３】サムネイルリスト画面において、サムネイルの表示位置を変更する際の処理を示すフローチャートである。
【符号の説明】
【０１０９】
１…動画表示部、２…表示窓、２ａ…メイン表示窓、３…詳細情報表示部、４…ゲージ、４ａ…中央表示マーク、４ｂ…範囲バー、１１…ハードディスク装置、１２…ファイルシステム部、１３…動画ファイルＩピクチャ検出部、１４…動画ファイルＩピクチャデコード部、１５…画像レイアウト処理部、１６…画像とリスト画面の合成表示処理部、１７…モニタ出力部、１８…動画ファイルサムネイルリスト表示制御部、１９…サムネイルリスト画面作成部、２０…操作パネル制御検出部、２０ａ…操作パネル、表示ボタン。
【図１】
2006279267.tif 000003
【図２】
2006279267.tif 000004
【図３】
2006279267.tif 000005
【図４】
2006279267.tif 000006
【図５】
2006279267.tif 000007
【図６】
2006279267.tif 000008
【図７】
2006279267.tif 000009
【図８】
2006279267.tif 000010
【図９】
2006279267.tif 000011
【図１０】
2006279267.tif 000012
【図１１】
2006279267.tif 000013
【図１２】
2006279267.tif 000014
【図１３】
2006279267.tif 000015
【図１４】
2006279267.tif 000016
【図１５】
2006279267.tif 000017
【図１６】
2006279267.tif 000018
【図１７】
2006279267.tif 000019
【図１８】
2006279267.tif 000020
【図１９】
2006279267.tif 000021
【図２０】
2006279267.tif 000022
【図２１】
2006279267.tif 000023
【図２２】
2006279267.tif 000024
【図２３】
2006279267.tif 000025